(57)【要約】【目的】  粒状化した乾燥排泄物と新鮮な排泄物との混合時、攪拌に伴う湿気が乾燥室に戻り乾燥状態を低下させる傾向があった。また上記混合は勢いよく行うことで、混合状態が良好になるが、その一方で、攪拌時に粉塵が増加する傾向が強く、その粉塵は細かい形状であるため、拡散および飛散が多い傾向がある。【構成】湿度を含んだ排泄物がベース上で保持され、下方から空気を送り込むことにより、乾燥促進させ、その後移送手段で乾燥した排泄物をすこしづつ落下させて、細かい乾燥排泄物を得、前記乾燥室と、外気に対して隔てる壁面を設けた処理室内に乾燥した排泄物をコンベア搬送し、さらに、畜舎からは新鮮な排泄物をコンベア搬送させ、これら排泄物をモータ駆動による攪拌手段によって、強制的に攪拌して混合物を得、その混合物はその後乾燥室の上記ベースへ移送される。また、蓄積した乾燥排泄物は、再び処理室を介して所定の位置に堆積させるものである。【選択図】  図１
2008261572.tif 000002
【特許請求の範囲】
【請求項１】
家畜の排泄物の乾燥システムであって、新鮮な排泄物と乾燥した排泄物の混合物（Ｍ）を乾燥する対象物として受け入れ、その混合物は、ベース（６）によって保持されるとともに空気（Ａ）の通気性を有し、該ベースはエレメント（60、60'）の集合から構成され、該エレメントは排泄物を保持する手段を形成するとともに定期的に乾燥した排泄物の一部を該エレメントの下方へ落下を促す移送する移送手段（Ｔ；Ｔ１、Ｔ２）を備え、さらに該エレメントは２つの重ね合わさった平行な平面（Ｐ１、Ｐ２）に編成される２組の水平部材（60、60'）から構成され、これら水平部材（60、60'）はベース（６）が垂直方向に連続した障害を有しないように配置され、前記移送手段（Ｔ；Ｔ１、Ｔ２）は水平部材（Ｔ；Ｔ１、Ｔ２）からなる２つの平面（Ｐ１、Ｐ２）の間を水平にスライド動作可能な少なくとも１つのスライドから構成されるとともに、このスライド動作によって、前記ベースの全表面が一端から他端まで掃引され、下方の平面（Ｐ２）の水平部材（60'）の頂部に蓄積された排泄物が押されて重力によって乾燥室の下方に落ちて乾燥した排泄物が蓄積されるようにされた、乾燥システムにおいて、
前記乾燥室に対して壁面によって隔てられるとともに外気の雰囲気に対しても壁面によって隔てられる構成とした処理室(Ｒ)を設け、該処理室内へ、前記乾燥室に蓄積された乾燥した排泄物をコンベアによって、前記処理室内へ搬送させる手段を設け、畜舎から搬送される新鮮な排泄物を前記処理室内へコンベアによって搬送させる手段を設け、これら二つの搬送手段に加えて、モータ駆動による攪拌手段を前記処理室内に設け、これら搬送手段によって搬送された新鮮な排泄物と乾燥した排泄物とを前記攪拌手段によって、攪拌をさせて混合物（Ｍ）を得て、得られた混合物を再びコンベアによって前記乾燥用のベース（６）へ戻すようにした、家畜の排泄物の乾燥システム。
【請求項２】
搬送された新鮮な排泄物と乾燥した排泄物とが、同一コンベア上で合流した後に攪拌手段によって、攪拌を行うようにした、請求項１に記載の家畜の排泄物の乾燥システム。
【請求項３】
前記攪拌手段が、ベルトコンベア上に攪拌する部分が配置されるようにした、第１の配置と、ベルトコンベア上からはずれた位置に、攪拌する部分が配置される、第２の配置の少なくとも２つの配置が選択可能にした、請求項１に記載の家畜の排泄物の乾燥システム。
【発明の詳細な説明】
【技術分野】
【０００１】
本発明は、家畜の排泄物、特に家禽類の糞を乾燥させるための乾燥システムに関する。
【背景技術】
【０００２】
一般的な技術背景として、以下の既存技術が開示される。  
微生物学的に排泄物を処理するための複雑で管理の必要な構成を持たないこと。  
乾燥した排泄物が土の塊に良く似た塊の形状で集められたとき、これが著しく硬い素材だからである。シャフトを回転させるための駆動力は、その塊を破壊に成功し、２つの隣接したシャフトの指状突起またはブレードの間に位置する隙間へそれらを通過させるために、著しく高くなければならない。このような動力の増加は、エネルギーの点から費用が高くつく。
【０００３】
US-A-2679114号公報（特許文献１）は、肥料を変換し堆肥化するための装置と方法に関するものである。その装置は、サイロの上部へ未加工の肥料を移送するコンベヤからなる。そのサイロのベースは、２つの穿孔され収束する仕切から形成され、その仕切の間に通路が広がっている。その通路の底部には、シュート中に配置されたコンベヤが備えられている。コンベヤの上部には、ブレードを備えた２つの平行なロータリシャフトが伸びている。そのシャフトを回転駆動させると、いくらかの肥料がコンベヤ上へ移送される。
【０００４】
圧力下で、湿気をたくさん含んでいる可能性のある空気は、サイロの下部を通って、肥料の塊の中へ導かれ、その変換に備える。その空気は、肥料の後方で循環し、その乾燥または変換の改善に寄与する。
【０００５】
DE-A-2723581号公報（特許文献２）は、有機固体の好気性分解のための方法と装置に関するものである。その装置は、素材の前乾燥のための装置、貯蔵室、およびサイロから構成され、そのサイロのベースには、前乾燥された生成物と乾燥生成物の完全な混合物を製造するツインスクリューコンベヤが通じている。
【０００６】
その混合物はつぎに、バーチカルコンベヤを経て、可動ベースを有する分解反応器へ移送される。その混合物は、乾燥塔へ選択的に導かれることが可能であり、最終生成物は前述のサイロに蓄えられる。
【０００７】
前記公報のような、可動ベースは、ロータリシャフトの集合から構成されることに注目すべきであり、その周囲には指状突起またはブレードが備えられている。このタイプの通気性の可動ベースは深刻な欠点を有している。
【０００８】
さらに、シャフトが停止中のとき、すなわち回転していないとき、上述の隙間は乾燥した素材の最も流動性のある一部分のみを必然的にろ過させるが、それは望ましくない。
【０００９】
最後に、WO-A-97/02222号公報（特許文献３）を通じて、家畜の排泄物の乾燥装置が知られており、ベースが可動で通気性のある乾燥室から構成されている。
【００１０】
このベースは、連結式の押出し成形からなる多数のエレメントから形成されるが、排泄物の一部分が流れることができるようにするために同時に振動可能である。
【００１１】
このタイプの装置は、操作に関しては申し分がない。しかしながら、振動操作は、相当なエネルギー消費を必要とする。
【００１２】
本発明は、以上の従来技術の問題点を克服するとともに以下の課題を解決し、より乾燥効率を高め、さらに環境に対しても配慮した、家禽類の糞を効率的に乾燥させることができる乾燥システムを提供することにある。
【特許文献１】米国特許第2679114号
【特許文献２】独国公開第2723581号
【特許文献３】国際特許公開第WO97/02222号
【発明の開示】
【発明が解決しようとする課題】
【００１３】
乾燥させた家畜の排泄物は通常において塊が大きくなり、非常に堅く、それゆえに扱いが難しかった、一方、特殊な手法で排泄物を粒状に乾燥させることを本願と同一発明者が提唱し、その結果として例えば、スクリューコンベア等でも自由に搬送できるような粒状の乾燥排泄物が得られるようになった。この乾燥システムにおいて、該粒状化した排泄物と新鮮な排泄物との混合をすることが必須の構成である。しかし、攪拌時に生じる湿気が乾燥室に戻り、乾燥室の機能を低下させる傾向があった。  
さらに、上記の通り粒状化の排泄物は、搬送が自由で、攪拌がしやすいなどの特長があるものの、攪拌時において粉塵が発生しやすくなった。また、新鮮な排泄物との混合はなるべく、勢いよく行うことで、混合がより状態が良くなるが、その一方で、攪拌時に粉塵が増加する傾向が強く、その粉塵は細かい形状であるがゆえに、拡散しやすく、飛散もしやすいものであった。  
また、上記の乾燥した粒状化排泄物と新鮮な排泄物との混合を、今まで以上に効率良く得る家畜の排泄物の乾燥システムが求められていた。
【課題を解決するための手段】
【００１４】
本発明の請求項１の特徴によれば、
家畜の排泄物の乾燥システムであって、新鮮な排泄物と乾燥した排泄物の混合物（Ｍ）を乾燥をする対象物として受け入れ、その混合物は、ベース（６）によって保持されるとともに空気（Ａ）の通気性を有し、該ベースはエレメント（60、60'）の集合から構成され、該エレメントは排泄物を保持する手段を形成するとともに定期的に乾燥した排泄物の一部を該エレメントの下方へ落下を促す移送する移送手段（Ｔ；Ｔ１、Ｔ２）を備え、さらに該エレメントは２つの重ね合わさった平行な平面（Ｐ１、Ｐ２）に編成される２組の水平部材（60、60'）から構成され、これら水平部材（60、60'）はベース（６）が垂直方向に連続した障害を有しないように配置され、前記移送手段（Ｔ；Ｔ１、Ｔ２）は水平部材（Ｔ；Ｔ１、Ｔ２）からなる２つの平面（Ｐ１、Ｐ２）の間を水平にスライド動作可能な少なくとも１つのスライドから構成されるとともに、このスライド動作によって、前記ベースの全表面が一端から他端まで掃引され、下方の平面（Ｐ２）の水平部材（60'）の頂部に蓄積された排泄物が押されて重力によって乾燥室の下方に落ちて乾燥した排泄物が蓄積されるようにされた乾燥システムにおいて、
前記乾燥室に対して壁面によって隔てられるとともに外気の雰囲気に対しても壁面によって隔てられる構成とした処理室内へ、前記乾燥室に蓄積された乾燥した排泄物をコンベアによって、前記処理室内へ搬送させる手段を設け、畜舎から搬送される新鮮な排泄物を前記処理室内へコンベアによって搬送させる手段を設け、これら二つの搬送手段に加えて、モータ駆動による攪拌手段を前記処理室内に設け、これら搬送手段によって搬送された新鮮な排泄物と乾燥した排泄物とを前記攪拌手段によって、攪拌をさせて混合物（Ｍ）を作成し、該混合物を再びコンベアによって前記乾燥用のベース（６）へ戻すようにした、家畜の排泄物の乾燥システムを提供することができる。
【００１５】
本発明の請求項２の特徴によれば、請求項１の構成に加えて、
搬送された新鮮な排泄物と乾燥した排泄物とが、同一コンベア上で合流した後に攪拌手段によって、攪拌を行うようにしたことを特徴としている。
【００１６】
本発明の請求項３の特徴によれば、請求項１の構成に加えて、前記攪拌手段が、ベルトコンベア上に攪拌する部分が配置されるようにした、第１の配置と、ベルトコンベア上からはずれた位置に、攪拌する部分が配置される、第２の配置の少なくとも２つの配置が選択可能にしたことを特徴としている。
【発明の効果】
【００１７】
請求項１で定義した構成により、家畜の排泄物は、乾燥室内に設けたベース上で十分乾燥しつつ、移送手段の動作によって、細かい乾燥物体として乾燥室内下方に集められる。この乾燥物体は、コンベアで搬送され、処理室内で新鮮な排泄物と合流し、十分に攪拌される。その結果として適切に混ぜ合わせられた混合物を得ることができる。この混合物は、再び乾燥室内へ送り込まれる。上記処理室によって十分に攪拌されることで、その後の乾燥工程が楽になる。また、十分に攪拌を行っても、処理室内で発生する湿気や粉塵は、直接的に湿気や粉塵が乾燥室へ入り込むことはない。また、外気の雰囲気に対して直接的に湿気や粉塵が放出されることはない。従って、今まで以上に十分な攪拌ができ、乾燥処理に適合する混合物を得ることができる。
【００１８】
請求項２で定義した構成により、搬送された新鮮な排泄物と乾燥した排泄物とが、同一コンベア上で合流した後に攪拌手段によって混合する構成としている。そのために、新鮮な排泄物は、処理室に入ると攪拌前に乾燥した排泄物によってカバーされ、その結果として、湿気や臭気が処理室内で発散しにくくなる。また、合流後に攪拌することで、攪拌効率も良い。
【００１９】
請求項３で定義した構成により、第１の配置とすることで、攪拌手段がコンベア上で攪拌作業を行うことが可能であり、攪拌が不要であった場合に、コンベアの流れに対して、攪拌手段が障壁にならないように、第２の配置へと変えることができる。すなわち、コンベア上に存在した攪拌手段をコンベアの外側へ移動させることで、コンベア上の排泄物の移動をスムーズにすることができる。
【発明を実施するための最良の形態】
【００２０】
以下本発明の一実施例を添付図面を参照して説明する。  
図１は、本発明による乾燥室を含む装置の概要を示す説明図である。上下の図面は、作図の都合で切断がされているが、図中の一点鎖線側は、互いに連続しているものである。  
図２は、本発明による乾燥室に排泄物を供給可能にする手段の側面図であり、ベースは縦方向の垂直面を通って切断されている。  
図３は、乾燥室の通気性を有するベースを構成する水平部材の部分上面図である。  
図４は、排泄物供給手段を備えた、乾燥室の単純化した上面図である。  
図５は、乾燥室が備えた可動スライドを駆動させる手段の上面図である。  
図６は、スライドと駆動ケーブルと戻りプーリの概略上面図である。  
図７は、プーリと駆動ケーブルの詳細図である。  
図８は、一組の平坦化指状突起を備えた乾燥室に排泄物を供給するための運搬手段との側面図である。  
図９は、引っ込んだ位置における、１つの指状突起の詳細図である。  
図１０は、図１における、処理室Ｒ中心に描いた部分断面斜視図であり、スクリュー３０は第１の配置としている。また、コンベアの内部がわかりやすいように、一部破断部分を設けており、さらに、壁面の一部もその外側の様子がわかるように破断部分を設けている。  
図１１は、スクリュー３０を第２の配置に変化させた、図１０と同様の図であり、視点位置が左上に移動している。なお、同図においては、破断部分を無くして描いている。なお、壁面に示した符号は図面の位置関係から表した符号であり、ＷＦは正面側壁面、ＷＢは背面側壁面、ＷＲは右側壁面、ＷＬは左側壁面、ＷＴは上面側壁面、ＷＵは底面側壁面を各々示している。なお、図１０においてはこれら壁面に対応する符号は省略している。  
図１２は、スクリュー３０の拡大斜視図。  
図１３は、図１０における各コンベアのカバー部分を取り外した状態を示した参考用斜視図である。
【００２１】
図１に描かれた装置は、乾燥室１、処理室Ｒ、アルキメデススクリューコンベヤ２、ベルトコンベア３、ベルトコンベアα、該ベルトコンベア３に対して排泄物を送り込むように配置した新鮮な排泄物フィードコンベヤＢ、乾燥室１内への空気ブロー手段Ａから構成される。すなわち、フィードコンベヤＢは鶏舎内の除糞ベルトで集められた排泄物を処理室Rに向かって搬送する。ベルトコンベア３は、新鮮な排泄物フィードコンベヤＢと排泄物が搬送可能に接続されている。  
一方、乾燥室１の下部には乾燥排泄物Ｓの受け入れピット８が備えてあり、その中へアルキメデススクリューコンベヤ２の上流の端部が傾斜して位置決めされ、その下流の端部は、乾燥室１の外部即ち処理室Ｒへ延び、アルキメデススクリューコンベヤ２の他端側は、シュート３００を介してベルトコンベア３の中間地点と接続される。
【００２２】
ベルトコンベア３のシュート３００との合流位置より下流において、切り替え用スクリュー３０が設けられる。  
このスクリュー３０は、第１の角度と、第２の角度の二種類の角度を切り替えて利用することができる（詳細は後述する）、図１においては、第１の角度としている。また、このスクリュー３０を回転させることで、ベルトコンベア３上に載置された、新鮮な排泄物と乾燥した排泄物が攪拌されて、作られた混合物が、ベルトコンベアαへスクリュー３０の移送力によって、移動する。移動した混合物は、その後ベルトコンベアαの流れに沿って、処理室Ｒから乾燥室１へ移動し、ベルトコンベアαの出力側端部から、混合物が放出される。放出された混合物は、その下方に配置されたムービングベルトコンベア４上に載せられる。
【００２３】
上記混合物のその後の乾燥はベース部分で行われる。その基本的な構成は以下の通りである。  
−側面から見ると、水平部材は互い違いの列に配置され、上方の平面の水平部材の端部は、下方の平面の水平部材と部分的に重なり合っており；  
−上方の平面の水平部材は穿孔されており；  
−乾燥室は長方形の２つのスライドを有し、その幅はベースの幅の半分に等しく、この２つのスライドは反対方向に移動可能であり；  
−前記スライドを駆動させる手段は、第１のケーブルと第２のケーブルからなり、第１のケーブルは、全く同じ側面から向けられた２つのスライドの横方向の端部に接続し、このケーブルは一組のプーリ上を通過し、少なくともその１つは駆動プーリであり、第２のケーブルは第１のケーブルとは反対の２つのスライドの横方向の端部に接続し、このケーブルは一組の戻りプーリ上を通過し、ゆえに、駆動プーリの駆動によって、１つのスライドが一方向に移動し、一方第２のスライドがその逆方向に移動し；  
−それらは第１のケーブルの両端を常に張力下に置くように構成され、第１のケーブルはそれぞれ第１のスライドと第２のスライドに連結され；  
−それは縦方向に移動可能な運搬手段を有し、前記混合物を受け入れて前記べース上に一様にそれを分布させることが可能であり；  
−前記運搬手段は下方に向いた一組の指状突起を有し、それは前記ベース上に排出された混合物の層を平坦にすることが可能であり；  
−前記一組の指状突起は乾燥室の端部で引っ込めることができる。  
つぎに、乾燥した排泄物が、堆積Ｓへ移動する経緯を説明する。  
新鮮な排泄物を処理室に導入する予定のベルトコンベア３に対して、鶏舎から導入する予定の新鮮な排泄物を、停止する。たとえば、新鮮な排泄物フィードコンベヤＢを停止させることによって、新鮮な排泄物の導入を停止させる。一方、ベルトコンベア３は通常運転をさせる。また、アルキメデススクリューコンベア２も通常運転をさせることにより、シュート３００を介してベルトコンベア３の中間地点に、乾燥した排泄物が導入される。また、ベルトコンベア３のシュート３００の位置よりも下流に配置されたスクリュー３０は、後述する第２の角度に配置する。こうすることで、乾燥した排泄物は、ベルトコンベア３の流れに沿って、処理室Ｒの外の堆積Ｓへ排出される。  
なお、ベルトコンベア３をケージ列の除糞ベルト付近まで延長させることで、この新鮮な排泄物フィードコンベヤＢを省略させることが可能である。その場合、乾燥した排泄物を堆積Sへ移動させるためには、鶏舎内のケージ列中における除糞ベルトを停止させることで、新鮮な排泄物の導入を停止させる。延長したベルトコンベア３は停止させないで、乾燥した排泄物を受け入れるようにし、その後は上述の流れで堆積Sへ運ぶようにする。
【００２４】
ところで、乾燥室１は、細長い直角の平行六面体の形状であって、その頂部を開口している。その上方の部分には、縦方向の垂直な壁の１つに近接して、ムービングベルトコンベヤ４が設けられ、その上方および下方のベルトは水平に、互いに平行に延びている。
【００２５】
このコンベヤは、単一の回転方向を有し；この方向は、図１を参照して、上方のベルトが左から右へ動くものである。それの上流端は、わずかに乾燥室１の外側に置かれ、ベルトコンベアαの下流端部からの混合物を受け取る構造としている。
【００２６】
図４に示されるように、コンベヤ４は乾燥室の幅の極めて小さな部分を占めている。  
乾燥室はまた、その上方の部位において、ケーシングの形状をした可動な運搬手段５を備えており、それは乾燥室の縦方向の壁に備えられた案内通路に置かれているローラー55によって縦方向の並進運動の動作が案内されている。
【００２７】
この運搬手段は、コンベヤ４の上方のベルトに置かれるスクレーパブレード51を備えている。それはまた、水平および横方向の回転軸を有するアルキメデススクリュー50を備えており、それはコンベヤ４の下方のベルトの平面の下方に位置する平面に置かれている。それが中で動作する容器の底は、部分的に開口している。
【００２８】
あとで分かるように、コンベヤ４によって受け入れられた糞は、ブレード51によってこすられ、運搬手段５の中へ排出され、スクリュー50によって乾燥室の全幅にわたって分配される。
【００２９】
例えば光電セルを有する、図示しない電気的または電子的手段は、排泄物の存在がアルキメデススクリューにおいて検知されるとすぐに、運搬手段を自動的に進めることを可能にする。
【００３０】
乾燥室１のベースは、通常６の符号が付され、長方形に収めている。  
それは２組の水平部材60と60'から構成され、水平に配置され、２つの重なった平行な面Ｐ1とＰ2として編成されている。水平部材の配置は、ベース６が垂直方向に連続した障害を有しないような配置である。換言すると、これは、上記または下記で分かるように、ベースが１つおよび唯一の連続した板から構成されているという印象を与えることを意味する。水平面上におけるベースの投影は、したがって、連続した外見（開口部が欠けている）を形成する。
【００３１】
水平部材は概して平坦で、非常に厚くはなく、長方形の部位を有している。それらは例えば金属製である。  
より詳細に図２および図３で示されるように、上方の平面Ｐ1の水平部材60は、それらの横方向の端部601が下方の平面Ｐ2の水平部材60'に部分的に覆いかぶさるように配置されている。
【００３２】
上方の平面Ｐ1の水平部材60は、横方向に配置された矩形の開口部600を備えている。このような特徴の重要性は、詳細な説明の後半で説明される。  
水平部材60と60'の２つの平面Ｐ1とＰ2を分けている空間には、少なくとも１つの水平に移動可能なスライドＴが存在する。これは厚みが小さい長方形の板であり、その幅はベースの幅に一致する。このスライドは、下記で分かるように、乾燥室の外へ排泄物を除去するために、下方の平面の水平部材60'上に蓄積された排泄物を押す機能を有する。
【００３３】
それは、ベースの全面を、一端から他端へ掃引することができる。  
１つの特に有利な問題解決手段に相当する図６の実施例においては、乾燥室は長方形の板の形状をした２つのスライドＴ1とＴ2を有し、その幅は乾燥室の幅のおよそ半分に相当する。  
これらのスライドは、水平部材の２つの平面の間の縦方向の並進運動の動作を可能にする手段が備えられており、１つは一方向へ、一方他はその反対方向へ動作する。  
これを行うために、それぞれのスライドは、通常９の符号を有する１組の戻りプーリと協力する第１のケーブル92の端部へその横方向の面の１つによって取り付けられている。
【００３４】
より正確には図５を参照して、乾燥室の縦方向の中央軸にマスタープーリ90が配置され、その回転軸は、垂直に配置され、図示しないモータからなる手段によって駆動される。これは溝付きプーリであって、都合良く台形の側面を有している。このプーリは、２つの補助的なプーリ90Aと90Bと連合しており、これら３つのプーリにわたるケーブル92の進行は、おおよそギリシャ文字のオメガ（Ω）の形状を与える。  
そのシステムはまた、第２の戻りプーリまたはコーナープーリ91の対を備えており、それぞれは実質的にスライドＴ1とＴ2の縦方向の中央軸に沿って配置されている。  
前とは逆のスライドの横方向の面に関しては、スライドＴ1とＴ2の縦方向の中央軸に沿って配置された一対の戻りプーリまたはコーナープーリ94と連合する第２のケーブル93が接続している。  
４つのコーナープーリ91と94は、架空の長方形の角に配置され、その大きい側面に沿ってスライドは駆動される。一方向または他方向におけるプーリ90の駆動は、スライドＴ1を一方向に動作させ、同時にスライドＴ2をその逆方向へ動作させることになることを理解すべきである。
【００３５】
図示しないスライドに対応するケーブル92の端部が弛むか緩むということが原因で、動作において急に引くことを避けるために図７に示すように、２つのプーリ90Aと90Bがクランプに固定して取り付けられ、それ自体マスタープーリ90へ固定して取り付けられるという対策がなされている。
【００３６】
したがって、ケーブルに働く力に依存して、ケーブルを張力下に置くように、プーリ90、90A、90Bの集合は、いわゆる弛んだケーブル端の方向に適応する。  
このシステムは、システムの正しい運転を継続して監視することを不要にすることができる。
【００３７】
もちろん、スライドＴ1とＴ2がそれぞれ乾燥室１の一端に達したとき、プーリ90を駆動するモータは回転方向が反転するように制御される。これを行うために、終点検出装置を用いることが可能である。  
もちろん、ケーブルの材質は、十分に強いものを選ばなければならない。それらは例えばプラスチック被覆された鋼のケーブルであってもよい。  
図８を参照すると、これは排泄物供給運搬手段を図示しており、その前面の部分において、揺動垂直アーム54を備え、その下方の端部は１組の曲がった指状突起52を備えており、指状突起52はベースの方へ向いており、角では排泄物の方向に向いている。
【００３８】
これら指状突起の機能は、水平部材の上方の平面上に、下方の平面が損傷するほど排泄物が蓄積することを防ぐことができるように、水平部材の一面に排泄物を一様に分配することである。  
図９に示されるように、この指状突起システムは、乾燥室の端部10において、前記指状突起システムが引っ込むように、接続部53に関して揺れるように設けられている。これは、指状突起によって妨げられることなく、乾燥室のベースへ都合良く運搬手段５が移動することを可能にする。
【００３９】
ベース６の下方には、既知のタイプのスクレーパシステム７が設けられ、それは、あとで説明されるように、通気性を有するベース６を通過した乾燥した排泄物をピット８へ戻すようになっている。ある特定の実施例において、多数のスクレーパを備えることが可能である。
【００４０】
最後に、装置は、例えば装置に近接して置かれた育成舎から来た空気Ａを取り込む手段を備えている。  
この空気は、ベースの下側から取り込まれ、例えばファンＶからなる手段によって、前記ベースを底部から頂部へ通過させられる。
【００４１】
本発明の装置および乾燥室の使用方法を、添付した図面を参照して説明する。  
予備的なステップにおいて、新鮮な排泄物、例えば糞は、通気性を有し、ほぐれた混合物を得るために、乾燥した糞と混合される。通常において、新鮮な排泄物は、塊になりやすく、塊状になった場合、通気性も損ない、乾燥するためには不都合な形状となりやすい。しかし、上述の通り乾燥したものと新鮮な排泄物を積極的に混合することで、従来において取扱と処理が厄介な半流動体となる傾向が強かった新鮮な糞が、これとは対照的に、空気の通りの良い、ほぐれた状態、即ち、扱いやすい生成物（混合物）を得ることが可能になっている。そうして作られた混合物Ｍは、コンベヤαを介して乾燥室上部へ移送される。
【００４２】
これら２つの生成物の完全な混合物は、コンベヤ３上に設けられた、スクリュー３０で攪拌されて作成され、攪拌後に、落下してベルトコンベアαへたどりつく。この工程によって、攪拌のみならず、空気が十分に含まれる。しかしながら、粉塵は発生しやすい工程でもある。
【００４３】
運搬手段５のベルト４に関連した動作によって、乾燥室の内側のベース６上へ混合物が排出され、移送される。指針として、混合物Ｍは例えば単位重量当たり、約50％の水分量を備えた、乾燥品から構成される。
【００４４】
排出に先立って、空気Ａをブローする手段が始動され、ゆえに前記空気は乾燥室１内で生じ、優先的に、水平部材60と60'の間に位置する空間を通過する。空気の一部はまた、水平部材60の開口部600を通過することによって流れ出す。  
それは乾燥室のベースから頂部へ進行するので、空気は湿気をたくさん抱えて、最大95％の湿度となるが、時間経過とともに、糞の混合物Ｍは、次第に完全に乾燥させることが可能となる。
【００４５】
通常において、ベース６に最も近接した混合物の層が最初に乾燥する。  
定期的に、水平部材の２つの平面60と60'の間で反対向きに縦方向の動作をスライドＴ1とＴ2がするように、プーリ90のモータが起動される。  
この操作の間、水平部材60'の頂部に蓄積した乾燥した排泄物の一部は、押されて乾燥室の下方の部分に存在する地面へ重力によって落下する。  
上方の平面Ｐ1の水平部材における矩形の穴600の存在は、そこに累積した糞の部分の乾燥を早める目的を有しているが、それは、この領域では、糞は優先的に通過する空気Ａの流れを有していないためである。  
通気性のあるベース６を通ってそれぞれ糞の一部が移送されることによって、水平部材６の上方の平面の上部に糞の円錐体が形成される。この現象を防止するために、運搬手段５に平坦化用の指状突起52が設けられている。この方法で、ベース６上の糞の層は絶え間なく平坦化される。  
受け入れピット８中へ乾燥した糞を移送するために、スクレーパ７がケーブルシステムによって定期的に始動される。ここで、それらはアルキメデススクリューコンベヤ２によって回収されて、その後の使用を意図して堆積Ｓへ全量移送されるか、または、新たに到着した新鮮な糞と部分的に混合される。  
この過程の全体が連続的に実行され、乾燥した糞の一部が乾燥室から定期的に取り出されることは全く明らかである。糞の湿度測定の自動的な測定を可能にする手段が、可動ベースのわずか上方に実装されている。
【００４６】
１つの実施例において、図示しないが、スライドが４つの押出し成形の部品、すなわち２つの縦方向の押出し成形品と２つの横方向の押出し成形品を溶接して構成した枠から形成され、それらが区切った内部空間は空である。
【００４７】
この場合、ベース６の下方の水平部材60'に累積した排泄物を押すのは、２つの横方向の押出し成形品の垂直な面である。好ましくは、２つの横方向の押出し成形品の間の間隔は、２つの隣接した水平部材の間の間隔より大きく決められる。例えば、それは75cmであり、２つの水平部材の間の間隔は50cmである。このように、１つの押出し成形品が排泄物を押すとき、他の押出し成形品は作用せず、逆もまた同様である。このことは、スライドを駆動するのに必要な動力の範囲を定めることを可能にする。
【００４８】
スライドの幅が２メートルであるとすると、それぞれの押出し成形品は、水平部材を「掃引」するたびに、約１ｍ2の表面積の糞を移動させる（0.5ｍ×２ｍ）。  
水平部材の２つの平面の間の間隔は、例えば25mmのオーダーである。  
したがって、スライドが通過するたびに除去される乾燥した排泄物の量はたいへん多いものではない。
【００４９】
したがって、本発明による技術は、単純な手段を用いて殆どエネルギーを消費せずに、定期的に一定の、しかしたいへん多くはない、均一な乾燥した糞の層、すなわち湿気のレベルが完全に同じものを回収することを可能にする。  
さらに、この作業を実行するために、400kgのオーダーのケーブル92の牽引力を開発することが必要であるが、それは750ワットのオーダーの動力に相当する。  
ベースの表面積が200ｍ2のオーダーであり、１ｍ2の表面積の掃引がそれぞれ可能な200のスライドを動かす必要があるとすると、明らかになった相当する動力は、150キロワットである（0.750×200）。
【００５０】
以上、本発明を家禽類の糞を例に挙げて説明したが、他のタイプの排泄物も処理可能である。  
次に処理室Ｒにおけるコンベアの構造の詳細について図１０を参照して説明する。
【００５１】
上述の通り、処理室Ｒの内を通過するコンベアは合計で３本である。ベルトコンベア３は、一端が処理室Ｒにおける「←Ｂ」で示された側で処理室Ｒの壁面を介して外側に突出し、新鮮な排泄物フィードコンベヤＢと連通する。このフィードコンベヤＢは、さらに隣接する養鶏システムの除糞ベルトから放出される排泄物を受け取る構造を備えている（図示せず）。また、ベルトコンベア３とフィードコンベヤＢは、設置環境によっては、一本のベルトコンベアで構成が可能である。このような、設置環境からなるベルトコンベア３は、処理室Ｒ内の中央位置までカバー３aが設けられている。  
このカバー3aはさらにシュート３００と連続して接合され、シュート300と該カバーとは内部構造で連続している。このカバー3aは上記シュート300と接合された位置で終端し、ベルトコンベア３の流れにおける下流位置においては、カバー3aが途切れて、上側が開いている。さらに、カバー3aの側壁部分（立ち上がり部分３ｃ）も低くして、広い開放エリア３ｂを作っている。  
さて、この開放エリア３ｂには、切り替え用として設けられたスクリュー３０が設置されている。図１０において、該スクリュー３０は、第１の角度としている。この第１の角度に設けられたスクリュー３０を回転させると、開放エリア３ｂに到来した排泄物がベルトコンベア３に対してほぼ直角方向へ移動し、落下する。落下した排泄物は、その下方に設けられたベルトコンベアα上で受け止められる。ベルトコンベアαは、下流側の一部にカバーαａを備えているが、前記落下した排泄物を受け取り位置において、そのカバーは設けられていない。なお、その受け取る位置において、所望に応じて、受け取り用のホッパーを設置することが可能である。ところで、前記シュート300には、乾燥室１から乾燥した排泄物を搬送するためのアルキメデススクリューコンベア２の上方位置（即ち下流部分）と接続されて、乾燥した排泄物がその、スクリューの回転によって上方向へ運ばれて、シュート300位置まで達すると、そこから落下してベルトコンベア３に載る。ここで、フィードコンベヤＢが稼働状態で、隣接する養鶏システムから新鮮な排泄物が運ばれ、それが、ベルトコンベア３へ受け渡されて、シュート300の位置まで上昇してきた状況において、上記新鮮な排泄物のレベルにあわせてアルキメデススクリューコンベア２の搬送力を回転数可変にて調節をして、シュート300から適度な量の乾燥させた排泄物を載せる。こうして、適度な割合の新鮮な排泄物と、乾燥した排泄物がベルトコンベア３上に載置されつつ上昇をすると、上述のスクリュー３０の位置までたどりつき、そのスクリュー３０の回転によって、ベルトコンベア上の排泄物が混合されつつ、移動して、下方に設けられたベルトコンベアα上に落下する。この際の攪拌にともなって、配設部は十分に混合されるが、それと同時に、同雰囲気内に粉塵となって飛散する。ただし、上記の通り、処理室Ｒは、この飛散した粉塵が外気の雰囲気に直接行かないように壁で隔てられる。この環境をもたらすことによって、十分に攪拌がされた混合物が得られる。さて、十分に攪拌された混合物は、ベルトコンベアαを介して、乾燥室１の所定位置まで戻され、再度乾燥処理がなされる。
【００５２】
次に、乾燥処理がなされた排泄物を、乾燥室１と処理室Ｒ外において堆積させる工程を図１１を参照して説明する。  
同図は、図１０と同一構成要素の図面で、わずかに左側やや上方に視点を変えて描いている。また、同一構成ではあるものの、スクリュー３０は、図１０の状態に対して、９０度回転させて、第２の角度に配置している。この回転は、スクリュー全体を回動自在に支えている支柱３１中心に回転させて達成している。なお、符号３２はこのスクリュー部分に回転駆動を与えるモータである。さて、上記の第２の角度に配置した場合、上記モータ３２の稼働の有無にかかわらず、排泄物の混合ならびに移動の動きをすることは無くなる。それは、ベルトコンベア３上から外れた位置にスクリューが配置変更されたためである。
【００５３】
このような状態において、新鮮な排泄物フィードコンベヤＢを停止させることで、新たな排泄物をベルトコンベア３に対して、湿った排泄物の到来を停止する（または、鶏舎内の状糞ベルトを停止させる）。一方、乾燥室１から乾燥した排泄物をアルキメデススクリューコンベア２を稼働することで、流動させ、シュート300を経て、ベルトコンベア３に載置される。ベルトコンベア３は、下方から上方に向かって搬送させる状態を、図１０と同様に引き続き実行させる。また、上述の通りスクリュー３０は第２の配置を取っているために、ベルトコンベア３上に載置された乾燥した排泄物は、そのまま流れて上がり、処理室Ｒの壁面を隔てて通過している、ベルトコンベア３の先端部分から、自然落下させる。その自然落下させて堆積した状態が、堆積物Ｓである。このようにして、所望の乾燥した排泄物が所望の場所に堆積状態で得ることができる。
【００５４】
最後に、スクリュー３０の詳細ならびに、変形実施例を説明する。図１２は、スクリュー３０の拡大図であり、図１０および図１１では、開示していなかった、カバー部３３が取り付けられている。このカバーは、スクリュー３０によって乾燥した排泄物と、湿度の多い新鮮な排泄物を勢いよく攪拌する際に、上方に飛散する粉塵などを最小限に抑えるようにする、飛散防止カバーである。また、スクリュー３０は前述の通り支柱３１を中心軸として回動させて、二つの配置を達成しているが、所望により、この支柱３１に対してスクリュー３０、モータ３２、カバー３３を全体的に上下させることで、二つの形態を達成することも可能である。この場合、ベルトコンベア３に接近させた状態が、第１の配置とすることができ、ベルトコンベア３に載置される排泄物に接触しない状態までスクリュー３０の位置が上昇させた状態を第２の配置とすることができる。
【００５５】
なお、図１３は、図１０における各コンベアのカバー部分を取り外した状態を示した参考用斜視図である。
【図面の簡単な説明】
【００５６】
【図１】本発明による乾燥室を含む装置の高度に図式的な説明図であり、それを構成する、異なるエレメントを示しており、図の下方部分は普通に上方部分と連続している。
【図２】本発明による乾燥室に排泄物を供給可能にする手段の側面図であり、ベースは縦方向の垂直面を通って切断されている。
【図３】乾燥室の通気性を有するベースを構成する水平部材の部分上面図である。
【図４】排泄物供給手段を備えた乾燥室の単純化した上面図である。
【図５】乾燥室が備えた可動スライドを駆動させる手段の上面図である。
【図６】スライドと駆動ケーブルと戻りプーリの概略上面図である。
【図７】プーリと駆動ケーブルの詳細図である。
【図８】一組の平坦化指状突起を備えた乾燥室に排泄物を供給するための運搬手段との側面図である。
【図９】引っ込んだ位置における１つの指状突起の詳細図である。
【図１０】図１における、処理室Ｒ中心に描いた部分断面斜視図であり、スクリュー３０は第１の配置としている。
【図１１】スクリュー３０を第２の配置に変化させた、図１０と同様の図であり、視点位置が左上に移動している。
【図１２】スクリュー３０の拡大斜視図
【図１３】図１０における各コンベアのカバー部分を取り外した状態を示した参考用斜視図である。
【符号の説明】
【００５７】
１ 乾燥室
２ アルキメデススクリューコンベア
３ ベルトコンベア
αベルトコンベア
５ 運搬手段
６ ベース
30 スクリュー（混合手段）
52 指状突起
60、60' 水平部材（エレメント）
90 駆動プーリ
92 第１のケーブル
93 第２のケーブル
94 戻りプーリ
601 端部
Ａ 空気
Ｍ 混合物
Ｐ1、Ｐ2 平面
Ｔ、Ｔ1、Ｔ2 スライド（移送手段）
Ｖ ブロー手段
Ｓ 乾燥排泄物（堆積物）
Ｒ 処理室
【図１】
2008261572.tif 000003
【図２】
2008261572.tif 000004
【図３】
2008261572.tif 000005
【図４】
2008261572.tif 000006
【図５】
2008261572.tif 000007
【図６】
2008261572.tif 000008
【図７】
2008261572.tif 000009
【図８】
2008261572.tif 000010
【図９】
2008261572.tif 000011
【図１０】
2008261572.tif 000012
【図１１】
2008261572.tif 000013
【図１２】
2008261572.tif 000014
【図１３】
2008261572.tif 000015